【手続補正書】
【提出日】平成24年11月28日(2012.11.28)
【手続補正１】
【補正対象書類名】特許請求の範囲
【補正対象項目名】全文
【補正方法】変更
【補正の内容】
【特許請求の範囲】
【請求項１】
複数のフォーカス位置で被写体を撮像して得られた複数のフォーカス面画像の基準となる基準フォーカス面画像が縮小された縮小基準フォーカス面画像に倍率間ボケ補償予測を行い、倍率間ボケ補償予測画像を前記フォーカス位置毎に生成し、
前記生成された倍率間ボケ補償予測画像と前記フォーカス面画像との差分データを、前記フォーカス位置毎に生成し、
前記縮小基準フォーカス面画像と前記差分データとを符号化する画像処理方法。
【請求項２】
請求項１に記載の画像処理方法であって、
前記倍率間ボケ補償予測を、拡大フィルタとボケ補償フィルタを用いて行う画像処理方法。
【請求項３】
請求項２に記載の画像処理方法であって、
前記倍率間ボケ補償予測を、複数の基準フォーカス面画像から行う画像処理方法。
【請求項４】
請求項１に記載の画像処理方法であって、
前記フォーカス面画像は、複数のフォーカス位置で被写体をステレオ撮像して得られた画像である画像処理方法。
【請求項５】
複数のフォーカス位置で被写体を撮像して得られた複数のフォーカス面画像の基準となる基準フォーカス面画像が縮小された縮小基準フォーカス面画像と、前記縮小基準ファーカス面画像に倍率間ボケ補償予測を行って得られる倍率間ボケ補償予測画像と前記フォーカス面画像とを前記フォーカス位置毎に差分をとって得られる差分データと、を符号化して得られる符号化データを復号し、
前記復号された縮小基準フォーカス面画像に倍率間ボケ補償予測を行い、倍率間ボケ補償予測画像を前記フォーカス位置毎に生成し、
前記生成された倍率間ボケ補償予測画像と、前記差分データとを足し合わせて前記フォーカス位置毎のフォーカス面画像を復元する画像処理方法。
【請求項６】
請求項１に記載の画像処理方法であって、
前記フォーカス面画像は、複数のフォーカス位置で被写体をステレオ撮像して得られた画像である画像処理方法。
【請求項７】
複数のフォーカス位置で被写体を撮像して得られた複数のフォーカス面画像の基準となる基準フォーカス面画像が縮小された縮小基準フォーカス面画像に倍率間ボケ補償予測を行い、倍率間ボケ補償予測画像を前記フォーカス位置毎に生成する予測部と、
前記予測部により生成された前記フォーカス位置毎の倍率間ボケ補償予測画像と前記フォーカス位置毎の前記フォーカス面画像との差分データを、前記フォーカス位置毎に生成する差分データ生成部と、
前記縮小された基準フォーカス面画像と前記差分データ生成部により生成されたフォーカス位置毎の各差分データを符号化する出力符号化部と
を具備する画像処理装置。
【請求項８】
請求項７に記載の画像処理装置であって、
前記予測部は、拡大フィルタとボケ補償フィルタを用いて倍率間ボケ補償予測を行う
画像処理装置。
【請求項９】
請求項７に記載の画像処理装置であって、
前記予測部は、複数の基準フォーカス面画像から前記倍率間ボケ補償予測を行う画像処理装置。
【請求項１０】
請求項７に記載の画像処理装置であって、
前記基準フォーカス面画像を縮小して前記縮小基準フォーカス面画像を生成する縮小部をさらに具備する画像処理装置。
【請求項１１】
請求項７に記載の画像処理装置であって、
前記フォーカス面画像は、複数のフォーカス位置で被写体をステレオ撮像して得られた画像である画像処理装置。
【請求項１２】
複数のフォーカス位置で被写体を撮像して得られた複数のフォーカス面画像の基準となる基準フォーカス面画像が縮小された縮小基準フォーカス面画像と、前記縮小基準フォー数面画像に倍率間ボケ補償予測を行って得られる倍率間ボケ補償予測画像と前記フォーカス面画像とを前記フォーカス位置毎に差分をとって得られる差分データと、を符号化して得られる符号化データを復号する復号部と、
前記復号部により復号された縮小基準フォーカス面画像に倍率間ボケ補償予測を行い、倍率間ボケ補償予測画像を前記フォーカス位置毎に生成する予測部と、
前記予測部により生成された倍率間ボケ補償予測画像と、前記復号部により生成された差分データとを足して前記フォーカス面画像を前記フォーカス位置毎に復元する復元部と
を具備する画像処理装置。
【請求項１３】
複数のフォーカス位置で被写体を撮像して得られた複数のフォーカス面画像の基準となる基準フォーカス面画像が縮小された縮小基準フォーカス面画像に倍率間ボケ補償予測を行い、倍率間ボケ補償予測画像を前記フォーカス位置毎に生成する予測部と、
前記予測部により生成された前記フォーカス位置毎の倍率間ボケ補償予測画像と前記フォーカス位置毎の前記フォーカス面画像との差分データを、前記フォーカス位置毎に生成する差分データ生成部と、
前記縮小された基準フォーカス面画像と前記差分データ生成部により生成されたフォーカス位置毎の各差分データを符号化する出力符号化部と
としてコンピュータを動作させるプログラム。
【請求項１４】
複数のフォーカス位置で被写体を撮像して得られた複数のフォーカス面画像の基準となる基準フォーカス面画像が縮小された縮小基準フォーカス面画像と、前記縮小基準フォー数面画像に倍率間ボケ補償予測を行って得られる倍率間ボケ補償予測画像と前記フォーカス面画像とを前記フォーカス位置毎に差分をとって得られる差分データと、を符号化して得られる符号化データを復号する復号部と、
前記復号部により復号された縮小基準フォーカス面画像に倍率間ボケ補償予測を行い、倍率間ボケ補償予測画像を前記フォーカス位置毎に生成する予測部と、
前記予測部により生成された倍率間ボケ補償予測画像と、前記復号部により生成された差分データとを足して前記フォーカス面画像を前記フォーカス位置毎に復元する復元部としてコンピュータを動作させるプログラム。
【手続補正２】
【補正対象書類名】明細書
【補正対象項目名】発明の名称
【補正方法】変更
【補正の内容】
【発明の名称】画像処理方法、画像処理装置、プログラム
【手続補正３】
【補正対象書類名】明細書
【補正対象項目名】０００１
【補正方法】変更
【補正の内容】
【０００１】
本発明は、画像データの圧縮符号化、復号を行う画像処理方法、画像処理装置、プログラムに関する。
【手続補正４】
【補正対象書類名】明細書
【補正対象項目名】００１１
【補正方法】変更
【補正の内容】
【００１１】
本発明は、上記課題に鑑みて、複数のフォーカス位置毎の複数の解像度の画像データを高い圧縮率で符号化することのできる画像処理方法、画像処理装置、プログラムを提供することを目的とするものである。
また、本発明の別の目的は、複数のフォーカス位置毎の複数の解像度の画像データを効率的に復号することのできる画像処理方法、画像処理装置、プログラムを提供することを目的とするものである。
【手続補正５】
【補正対象書類名】明細書
【補正対象項目名】００３６
【補正方法】変更
【補正の内容】
【００３６】
プログラムは、異なる複数のフォーカス位置で被写体を撮像して得られた複数のフォーカス面画像のうちの少なくとも１つを基準フォーカス面画像として、これを縮小するモジュール（縮小部）と、縮小された基準フォーカス面画像から倍率間ボケ補償予測により、基準フォーカス面画像より高倍率の、複数のフォーカス位置のフォーカス面画像の倍率間ボケ補償予測画像をそれぞれ生成するモジュール（予測部）と、生成されたフォーカス位置毎の倍率間ボケ補償予測画像とフォーカス位置毎のフォーカス面画像との差分データを生成するモジュール（差分データ生成部）と、縮小された基準フォーカス面画像とフォーカス位置毎の各差分データを符号化結果として出力するモジュール（出力符号化部）としてコンピュータ１００を動作させる。